【手続補正書】
【提出日】平成26年4月9日(2014.4.9)
【手続補正１】
【補正対象書類名】明細書
【補正対象項目名】０００６
【補正方法】変更
【補正の内容】
【０００６】
上記課題を解決するため、本発明に係る撮像装置は、
所定の通信回線を介して接続された外部機器と通信する通信手段と、撮像手段により撮像される画像を逐次処理する処理手段と、前記処理手段により逐次処理された画像を前記通信手段により前記所定の通信回線を介して前記外部機器に送信させる送信制御手段と、前記通信手段による前記所定の通信回線を介した前記外部機器との通信の品質に係る通信品質情報を取得する取得手段と、前記取得手段により取得された通信品質情報に基づいて、前記撮像手段の動作内容及び前記処理手段による処理内容の少なくとも一方を制御する処理制御手段と、
を備えたことを特徴としている。
【手続補正２】
【補正対象書類名】明細書
【補正対象項目名】０００７
【補正方法】変更
【補正の内容】
【０００７】
また、本発明に係る携帯端末は、
所定の通信回線を介して撮像装置と接続された携帯端末であって、前記撮像装置から送信される所定の処理が施された画像を受信する通信手段と、前記通信手段による前記所定の通信回線を介した当該端末本体と前記撮像装置との通信の品質に係る通信品質情報を取得する取得手段と、前記取得手段により取得された通信品質情報に基づいて、前記撮像装置の撮像に係る動作内容及び前記撮像装置の撮像手段により撮像される画像に対する処理内容の少なくとも一方を変更するための制御指示を前記通信手段により前記所定の通信回線を介して前記撮像装置に送信させる送信制御手段と、を備えたことを特徴としている。
【手続補正３】
【補正対象書類名】明細書
【補正対象項目名】０００８
【補正方法】変更
【補正の内容】
【０００８】
また、本発明に係る撮像方法は、
所定の通信回線を介して接続された外部機器と通信する通信手段と、撮像手段により撮像される画像を逐次処理する処理手段と、を備える撮像装置を用いた撮像方法であって、前記処理手段により逐次処理された画像を前記通信手段により前記所定の通信回線を介して前記外部機器に送信させる処理と、前記通信手段による前記所定の通信回線を介した前記外部機器との通信の品質に係る通信品質情報を取得する処理と、取得された通信品質情報に基づいて、前記撮像手段の動作内容及び前記処理手段による処理内容の少なくとも一方を制御する処理と、を含むことを特徴としている。
【手続補正４】
【補正対象書類名】明細書
【補正対象項目名】０００９
【補正方法】変更
【補正の内容】
【０００９】
また、本発明に係るプログラムは、
所定の通信回線を介して接続された外部機器と通信する通信手段と、撮像手段により撮像される画像を逐次処理する処理手段と、を備える撮像装置のコンピュータを、前記処理手段により逐次処理された画像を前記通信手段により前記所定の通信回線を介して前記外部機器に送信させる送信制御手段、前記通信手段による前記所定の通信回線を介した前記外部機器との通信の品質に係る通信品質情報を取得する取得手段、前記取得手段により取得された通信品質情報に基づいて、前記撮像手段の動作内容及び前記処理手段による処理内容の少なくとも一方を制御する処理制御手段、として機能させることを特徴としている。
【手続補正５】
【補正対象書類名】特許請求の範囲
【補正対象項目名】全文
【補正方法】変更
【補正の内容】
【特許請求の範囲】
【請求項１】
所定の通信回線を介して接続された外部機器と通信する通信手段と、
撮像手段により撮像される画像を逐次処理する処理手段と、
前記処理手段により逐次処理された画像を前記通信手段により前記所定の通信回線を介して前記外部機器に送信させる送信制御手段と、
前記通信手段による前記所定の通信回線を介した前記外部機器との通信の品質に係る通信品質情報を取得する取得手段と、
前記取得手段により取得された通信品質情報に基づいて、前記撮像手段の動作内容及び前記処理手段による処理内容の少なくとも一方を制御する処理制御手段と、
を備えたことを特徴とする撮像装置。
【請求項２】
前記処理手段は、出力画像の解像度を設定する解像度設定処理を実行し、
前記処理制御手段は、前記通信品質情報に基づいて、前記処理手段による前記解像度設定処理にて設定される解像度を変更することを特徴とする請求項１に記載の撮像装置。
【請求項３】
前記通信品質情報は、前記外部機器に送信される画像のフレームレートを含み、
前記処理制御手段は、前記フレームレートが所定値よりも小さくなった場合に、前記処理手段による前記解像度設定処理にて設定される解像度を相対的に低解像度となるように変更することを特徴とする請求項２に記載の撮像装置。
【請求項４】
前記処理手段は、前記撮像手段により撮像される画像のフレームレートを設定するフレームレート設定処理を実行し、
前記処理制御手段は、前記通信品質情報に基づいて、前記処理手段による前記フレームレート設定処理にて設定されるフレームレートを変更することを特徴とする請求項１に記載の撮像装置。
【請求項５】
前記処理手段は、出力画像の色に関連する条件を設定する色条件設定処理を実行し、
前記処理制御手段は、前記通信品質情報に基づいて、前記処理手段による前記色条件設定処理にて設定される色に関連する条件を変更することを特徴とする請求項１に記載の撮像装置。
【請求項６】
前記処理制御手段は、前記取得手段により取得された通信品質情報に基づいて、前記処理手段による処理内容を前記外部機器に送信される画像のデータ量に応じて制御することを特徴とする請求項１〜５の何れか一項に記載の撮像装置。
【請求項７】
前記処理制御手段は、前記取得手段により取得された通信品質情報に基づいて、前記処理手段による処理内容を必要な電力量に応じて制御することを特徴とする請求項１〜６に記載の撮像装置。
【請求項８】
被写体の種類を特定する特定手段を更に備え、
前記処理制御手段は、前記特定手段による特定結果に応じて、前記処理手段による処理内容を制御することを特徴とする請求項１に記載の撮像装置。
【請求項９】
前記処理制御手段は、前記特定手段により被写体としてヒトが特定された場合に、前記処理手段により被写体の輪郭部分を表した輪郭画像を生成させるように制御することを特徴とする請求項８に記載の撮像装置。
【請求項１０】
前記処理手段は、出力画像の解像度を設定する解像度設定処理を実行し、
前記処理制御手段は、前記特定手段により被写体として風景が特定された場合に、前記処理手段による前記解像度設定処理にて設定される解像度を相対的に低解像度とするように制御することを特徴とする請求項８に記載の撮像装置。
【請求項１１】
前記処理手段は、出力画像の色に関連する条件を設定する色条件設定処理を実行し、
前記処理制御手段は、前記特定手段により被写体として夜景が特定された場合に、前記処理手段による前記色条件設定処理にて設定される色数を相対的に少なくするように制御することを特徴とする請求項８に記載の撮像装置。
【請求項１２】
所定の通信回線を介して撮像装置と接続された携帯端末であって、
前記撮像装置から送信される所定の処理が施された画像を受信する通信手段と、
前記通信手段による前記所定の通信回線を介した当該端末本体と前記撮像装置との通信の品質に係る通信品質情報を取得する取得手段と、
前記取得手段により取得された通信品質情報に基づいて、前記撮像装置の撮像に係る動作内容及び前記撮像装置の撮像手段により撮像される画像に対する処理内容の少なくとも一方を変更するための制御指示を前記通信手段により前記所定の通信回線を介して前記撮像装置に送信させる送信制御手段と、
を備えたことを特徴とする携帯端末。
【請求項１３】
所定の通信回線を介して接続された外部機器と通信する通信手段と、撮像手段により撮像される画像を逐次処理する処理手段と、を備える撮像装置を用いた撮像方法であって、
前記処理手段により逐次処理された画像を前記通信手段により前記所定の通信回線を介して前記外部機器に送信させる処理と、
前記通信手段による前記所定の通信回線を介した前記外部機器との通信の品質に係る通信品質情報を取得する処理と、
取得された通信品質情報に基づいて、前記撮像手段の動作内容及び前記処理手段による処理内容の少なくも一方を制御する処理と、
を含むことを特徴とする撮像方法。
【請求項１４】
所定の通信回線を介して接続された外部機器と通信する通信手段と、撮像手段により撮像される画像を逐次処理する処理手段と、を備える撮像装置のコンピュータを、
前記処理手段により逐次処理された画像を前記通信手段により前記所定の通信回線を介して前記外部機器に送信させる送信制御手段、
前記通信手段による前記所定の通信回線を介した前記外部機器との通信の品質に係る通信品質情報を取得する取得手段、
前記取得手段により取得された通信品質情報に基づいて、前記撮像手段の動作内容及び前記処理手段による処理内容の少なくも一方を制御する処理制御手段、
として機能させることを特徴とするプログラム。